(57)【要約】【課題】ホットフォルダの作成を容易に行うことができ、またホットフォルダに対するデータファイルの投入ミスを防ぎ、さらに複数のホットフォルダそれぞれにおける処理状況を容易に判別すること。【解決手段】データファイルの処理内容に対応するデータファイル処理内容設定領域が表示手段に表示される。そして、該データファイル処理内容設定領域内部にデータファイルを入力するためのデータファイル入力領域を作成し、該データファイル入力領域に対して、データファイルを処理するために必要なパラメータを設定する。このデータファイル入力領域に処理を所望するデータファイルを投入することにより、先に設定されたパラメータを使用した処理内容でデータファイルの処理が行なわれる。【選択図】    図５
2005166008.tif 000002
【特許請求の範囲】
【請求項１】
入力手段と表示手段とを備え、所定の処理内容に基づいてデータファイルの処理を行うデータファイル処理装置であって、
データファイルの処理内容に対応するデータファイル処理内容設定領域を前記表示手段に表示するデータファイル処理内容設定領域表示手段と、
前記データファイル処理内容設定領域の内部に、前記データファイルを入力するためのデータファイル入力領域を作成するデータファイル入力領域作成手段と、
前記データファイル入力領域に対して、前記処理内容による前記データファイルの処理に必要なパラメータを設定するデータファイル入力領域パラメータ設定手段と、
前記入力手段で指定されたデータファイルを前記データファイル入力領域へ入力するデータファイル入力手段と、
前記データファイル入力領域パラメータ設定手段で設定されたパラメータを使用して、前記データファイル処理内容設定領域に対応する処理内容で、前記データファイル入力領域に入力されたデータファイルの処理を実行するデータファイル処理手段と、
を有することを特徴とするデータファイル処理装置。
【請求項２】
前記データファイルの処理内容を設定するデータファイル処理内容設定手段と、を有し、前記データファイル処理内容設定領域表示手段が、前記データファイル処理内容設定手段によって設定されたデータファイル処理内容に対応するデータファイル処理内容設定領域を表示手段へ表示すること、を特徴とする請求項１に記載のデータファイル処理装置。
【請求項３】
前記データファイルの処理内容が複数存在する場合、該複数のデータファイルの処理内容に対応して、前記データファイル処理内容設定領域表示手段が複数の前記データファイル処理内容設定領域を表示手段に表示すること、を特徴とする請求項１に記載のデータファイル処理装置。
【請求項４】
前記データファイル入力領域作成手段が、前記データファイル処理内容設定領域の内部に複数の前記データファイル入力領域を作成し、前記データファイル入力領域パラメータ設定手段が、前記複数のデータファイル入力領域それぞれに異なるパラメータを設定すること、を特徴とする請求項１に記載のデータファイル処理装置。
【請求項５】
前記データファイル処理手段におけるデータファイル処理の進捗状況を表示するデータファイル処理進捗表示手段を有し、
前記データファイル処理進捗表示手段が、前記データファイル処理内容設定領域に対応したデータファイル処理進捗領域を表示し、該データファイル処理進捗領域において前記データファイル入力領域に入力された前記データファイル処理に関する進捗状況を表示すること、を特徴とする請求項１に記載のデータファイル処理装置。
【請求項６】
前記データファイル入力領域に入力される前記データファイルの属性を識別することにより、該データファイルが前記データファイル処理内容設定領域に対応する処理内容で処理が可能か否かを判断し、該データファイルについて前記データファイル処理内容設定領域に対応する処理内容による処理が不可能な場合は、前記データファイル入力領域への該データファイルの入力を禁止するデータファイル属性識別手段と、を有することを特徴とする請求項１に記載のデータファイル処理装置。
【請求項７】
入力手段と表示手段とを備え、所定の処理内容に基づいてデータファイルの処理を行うデータファイル処理装置におけるデータファイル処理方法であって、
データファイルの処理内容に対応するデータファイル処理内容設定領域を前記表示手段に表示するデータファイル処理内容設定領域表示工程と、
前記データファイル処理内容設定領域の内部に、前記データファイルを入力するためのデータファイル入力領域を作成するデータファイル入力領域作成工程と、
前記データファイル入力領域に対して、前記処理内容による前記データファイルの処理に必要なパラメータを設定するデータファイル入力領域パラメータ設定工程と、
前記入力手段で指定されたデータファイルを前記データファイル入力領域へ入力するデータファイル入力工程と、
前記データファイル入力領域パラメータ設定工程で設定されたパラメータを使用して、前記データファイル処理内容設定領域に対応する処理内容で、前記データファイル入力領域に入力されたデータファイルの処理を実行するデータファイル処理工程と、
を有することを特徴とするデータファイル処理方法。
【請求項８】
入力手段と表示手段とを備えたコンピュータにおいて、所定の処理内容に基づいてデータファイルの処理を行うデータファイル処理装置を実現するためのプログラムであって、
データファイルの処理内容に対応するデータファイル処理内容設定領域を前記表示手段に表示するデータファイル処理内容設定領域表示機能と、
前記データファイル処理内容設定領域の内部に、前記データファイルを入力するためのデータファイル入力領域を作成するデータファイル入力領域作成機能と、
前記データファイル入力領域に対して、前記処理内容による前記データファイルの処理に必要なパラメータを設定するデータファイル入力領域パラメータ設定機能と、
前記入力手段で指定されたデータファイルを前記データファイル入力領域へ入力するデータファイル入力機能と、
前記データファイル入力領域パラメータ設定機能で設定されたパラメータを使用して、前記データファイル処理内容設定領域に対応する処理内容で、前記データファイル入力領域に入力されたデータファイルの処理を実行するデータファイル処理機能と、
を前記コンピュータにおいて実行することを特徴とするプログラム。
【発明の詳細な説明】
【技術分野】
【０００１】
本発明は、データファイルを処理するデータファイル処理装置、データファイル処理方法、およびプログラムに関し、特にＧＵＩ（Graphical User Interface）を利用したデータファイル処理に関する。
【背景技術】
【０００２】
一般的に使用されているコンピュータにおいて、データファイルを投入するためのフォルダに対して、データファイルに対する処理内容とパラメータを設定し、該フォルダにデータファイルが投入されると、前記設定された処理内容とパラメータに基づいて、該データファイルの処理を自動的に実行する技術が実現されている。このようなデータファイルの処理を実行するためのフォルダは、ホットフォルダ、あるいはドロップフォルダと呼ばれている。ホットフォルダは表示部に表示される画面上に作成することができ、またホットフォルダに対するデータファイルの投入は、通常行なわれているファイルのドラッグ&ドロップ処理で行うことができるので、データファイルの処理を所望するオペレータは、一般的な操作によって、ホットフォルダによるデータファイルの処理を実行することができる。
【特許文献１】特開２０００−１１８０９５号公報
【発明の開示】
【発明が解決しようとする課題】
【０００３】
このようなホットフォルダは、実行すべき処理内容に応じて、複数作成する必要がある。従って、ホットフォルダを作成する毎に、該ホットフォルダに対して処理内容を設定しなければならず、オペレータの負担が大きくなる、という問題点があった。
また、ホットフォルダを複数作成した結果、その数が著しく多くなってしまうことにより、データファイルの投入ミスが生じるという問題点があった。このような問題は、他のアイコンも複数配置されているデスクトップ上に多数のホットフォルダを作成した場合、さらに深刻なものとなっていた。
さらに、一度に多種類のホットフォルダにデータファイルを投入した場合、現在どのホットフォルダによる処理が実行されているのかを判別するのが難しい、という問題も発生していた。
【０００４】
従って、本発明の課題は、従来技術の問題点を解決するものであり、ホットフォルダの作成を容易に行うことができ、またホットフォルダに対するデータファイルの投入ミスを防ぎ、さらに複数のホットフォルダそれぞれにおける処理状況を容易に判別することができるデータファイル処理装置、データファイル処理方法、およびプログラムを提供することである。
【課題を解決するための手段】
【０００５】
かかる課題を解決する為に、請求項１に係る発明は、入力手段と表示手段とを備え、所定の処理内容に基づいてデータファイルの処理を行うデータファイル処理装置であって、データファイルの処理内容に対応するデータファイル処理内容設定領域を前記表示手段に表示するデータファイル処理内容設定領域表示手段と、前記データファイル処理内容設定領域の内部に、前記データファイルを入力するためのデータファイル入力領域を作成するデータファイル入力領域作成手段と、前記データファイル入力領域に対して、前記処理内容による前記データファイルの処理に必要なパラメータを設定するデータファイル入力領域パラメータ設定手段と、前記入力手段で指定されたデータファイルを前記データファイル入力領域へ入力するデータファイル入力手段と、前記データファイル入力領域パラメータ設定手段で設定されたパラメータを使用して、前記データファイル処理内容設定領域に対応する処理内容で、前記データファイル入力領域に入力されたデータファイルの処理を実行するデータファイル処理手段と、を有することを特徴としている。
【０００６】
請求項１に記載のデータファイル処理装置は、データファイルの処理内容に対応するデータファイル処理内容設定領域が表示手段に表示される。そして、該データファイル処理内容設定領域内部にデータファイルを入力するためのデータファイル入力領域を作成し、該データファイル入力領域に対して、データファイルを処理するために必要なパラメータを設定する。このデータファイル入力領域に処理を所望するデータファイルを投入することにより、先に設定されたパラメータを使用した処理内容でデータファイルの処理が行なわれる。すなわち、データファイル処理内容設定領域内部に該処理内容に基づいたホットフォルダが作成されるので、ホットフォルダの作成を容易に行うことができる。また、データファイル処理内容設定領域の内部に該データファイルを処理するためのホットフォルダが作成されるので、データファイルの投入ミスを防ぐことができる。
【０００７】
また請求項２に係る発明は、請求項１に記載のデータファイル処理装置であって、前記データファイルの処理内容を設定するデータファイル処理内容設定手段と、を有し、前記データファイル処理内容設定領域表示手段が、前記データファイル処理内容設定手段によって設定されたデータファイル処理内容に基づいてデータファイル処理内容設定領域を表示手段へ表示すること、を特徴としている。
【０００８】
請求項２に記載のデータファイル処理装置は、データファイルの処理内容を設定するデータファイル処理内容設定手段を備えているので、データファイル処理装置のオペレータが所望する処理内容でデータファイル処理内容設定領域を表示することができ、オペレータの所望するホットフォルダの作成を容易に行うことができる。
【０００９】
更に請求項３に係わる発明は、請求項１に記載のデータファイル処理装置であって、前記データファイルの処理内容が複数存在する場合、該複数のデータファイルの処理内容に対応して、前記データファイル処理内容設定領域表示手段が複数の前記データファイル処理内容設定領域を表示手段に表示すること、を特徴としている。
【００１０】
請求項３に記載のデータファイル処理装置は、複数のデータファイル処理内容に対応して、複数のデータファイル処理内容設定領域が表示手段に表示されるので、複数のデータファイルの処理内容それぞれに対応したホットフォルダを容易に作成することができる。また、データファイルの処理内容それぞれに対応したデータファイル処理内容設定領域が複数表示されるので、ホットフォルダに対するデータファイルの投入ミスを防ぐことができる。
【００１１】
加えて請求項４に係る発明は、請求項１に記載のデータファイル処理装置であって、前記データファイル入力領域作成手段が、前記データファイル処理内容設定領域の内部に複数の前記データファイル入力領域を作成し、前記データファイル入力領域パラメータ設定手段が、前記複数のデータファイル入力領域それぞれに異なるパラメータを設定すること、を特徴としている。
【００１２】
請求項４に記載のデータファイル処理装置は、データファイル処理内容設定領域に複数のデータファイル入力領域を作成することができ、しかも複数のデータファイル入力領域にそれぞれ異なったパラメータを設定することができるので、データファイルの処理内容に対応した、複数の異なったパラメータが設定されたホットフォルダを容易に作成することができる。
【００１３】
また請求項５に係る発明は、請求項１に記載のデータファイル処理装置であって、前記データファイル処理手段におけるデータファイル処理の進捗状況を表示するデータファイル処理進捗表示手段を有し、前記データファイル処理進捗表示手段が、前記データファイル処理内容設定領域に対応したデータファイル処理進捗領域を表示し、該データファイル処理進捗領域において前記データファイル入力領域に入力された前記データファイル処理に関する進捗状況を表示すること、を特徴としている。
【００１４】
請求項５に記載のデータファイル処理装置は、データファイル処理進捗表示手段が、データファイル処理内容設定領域に対応したデータファイル処理進捗領域を表示し、しかもデータファイル入力領域に入力されたデータファイルの処理に関する進捗状況が該データファイル処理進捗領域に表示されるので、ホットフォルダ各々におけるデータ処理の進捗状況を容易に把握することができる。
【００１５】
さらに請求項６に係わる発明は、請求項１に記載のデータファイル処理装置であって、前記データファイル入力領域に入力される前記データファイルの属性を識別することにより、該データファイルが前記データファイル処理内容設定領域に対応する処理内容で処理が可能か否かを判断し、該データファイルについて前記データファイル処理内容設定領域に対応する処理内容による処理が不可能な場合は、前記データファイル入力領域への該データファイルの入力を禁止するデータファイル属性識別手段と、を有することを特徴としている。
【００１６】
請求項６に記載のデータファイル処理装置は、データファイル属性識別手段がデータファイルの属性を識別することにより、該データファイルがデータファイル処理内容設定領域に対応する処理内容で処理が可能か否かを判断する。該データファイルがデータファイル処理内容設定領域に対応する処理内容で処理が不可能な属性を有している場合、データファイル属性識別手段は該データファイルについてデータファイル入力領域への入力を禁止するので、より一層ホットフォルダに対するデータファイルの投入ミスを防ぐことができる。
【００１７】
請求項７に係る発明では、入力手段と表示手段とを備え、所定の処理内容に基づいてデータファイルの処理を行うデータファイル処理装置におけるデータファイル処理方法であって、データファイルの処理内容に対応するデータファイル処理内容設定領域を前記表示手段に表示するデータファイル処理内容設定領域表示工程と、前記データファイル処理内容設定領域の内部に、前記データファイルを入力するためのデータファイル入力領域を作成するデータファイル入力領域作成工程と、前記データファイル入力領域に対して、前記処理内容による前記データファイルの処理に必要なパラメータを設定するデータファイル入力領域パラメータ設定工程と、前記入力手段で指定されたデータファイルを前記データファイル入力領域へ入力するデータファイル入力工程と、前記データファイル入力領域パラメータ設定工程で設定されたパラメータを使用して、前記データファイル処理内容設定領域に対応する処理内容で、前記データファイル入力領域に入力されたデータファイルの処理を実行するデータファイル処理工程と、を有することを特徴としている。
【００１８】
請求項７に記載のデータファイル処理方法は、データファイルの処理内容に対応するデータファイル処理内容設定領域が表示手段に表示される。そして、該データファイル処理内容設定領域内部にデータファイルを入力するためのデータファイル入力領域を作成し、該データファイル入力領域に対して、データファイルを処理するために必要なパラメータを設定する。このデータファイル入力領域に処理を所望するデータファイルを投入することにより、先に設定されたパラメータを使用した処理内容でデータファイルの処理が行なわれる。すなわち、データファイル処理内容設定領域内部に該処理内容に基づいたホットフォルダが作成されるので、ホットフォルダの作成を容易に行うことができる。また、データファイル処理内容設定領域の内部に該データファイルを処理するためのホットフォルダが作成されるので、データファイルの投入ミスを防ぐことができる。
【００１９】
請求項８に係る発明は、入力手段と表示手段とを備えたコンピュータにおいて、所定の処理内容に基づいてデータファイルの処理を行うデータファイル処理装置を実現するためのプログラムであって、データファイルの処理内容に対応するデータファイル処理内容設定領域を前記表示手段に表示するデータファイル処理内容設定領域表示機能と、前記データファイル処理内容設定領域の内部に、前記データファイルを入力するためのデータファイル入力領域を作成するデータファイル入力領域作成機能と、前記データファイル入力領域に対して、前記処理内容による前記データファイルの処理に必要なパラメータを設定するデータファイル入力領域パラメータ設定機能と、前記入力手段で指定されたデータファイルを前記データファイル入力領域へ入力するデータファイル入力機能と、前記データファイル入力領域パラメータ設定機能で設定されたパラメータを使用して、前記データファイル処理内容設定領域に対応する処理内容で、前記データファイル入力領域に入力されたデータファイルの処理を実行するデータファイル処理機能と、を有することを特徴としている。
【００２０】
請求項８に記載のプログラムは、データファイル処理内容に対応するデータファイル処理内容設定領域が表示手段に表示される。そして、該データファイル処理内容設定領域内部にデータファイルを入力するためのデータファイル入力領域を作成し、該データファイル入力領域に対して、データファイルを処理するために必要なパラメータを設定する。このデータファイル入力領域に処理を所望するデータファイルを投入することにより、先に設定されたパラメータを使用した処理内容でデータファイルの処理が行なわれる。すなわち、データファイル処理内容設定領域内部に該処理内容に基づいたホットフォルダが作成されるので、ホットフォルダの作成を容易に行うことができる。また、データファイル処理内容設定領域の内部に該データファイルを処理するためのホットフォルダが作成されるので、データファイルの投入ミスを防ぐことができる。
【発明を実施するための最良の形態】
【００２１】
以下、図面を利用しながら、本発明を実施するための最良の形態について、説明を行なう。
【実施例１】
【００２２】
図1は、本発明に係わるデータファイル処理装置１の構成を説明するための図である。データファイル処理装置１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。
ＣＰＵ１１は、データファイル処理装置１全体を制御し、特にメディアドライブ１５に挿入されたメディアディスク１８に記録されているプログラム１６１をメモリ１７において実行することによって、データファイル処理装置１の機能を実現している。
表示部１２は、データファイル処理に必要な情報を表示するためのものであり、特にデータファイル処理内容設定領域ＤＥＡやデータファイル入力領域ＤＩＡを表示するのに使用する。
入力部１３は、マウスやキーボードで構成されており、データファイル処理装置１に対してオペレータが指示を入力するためのものであり、特にデータファイル入力領域ＤＩＡの作成やデータファイル入力領域ＤＩＡに対するパラメータの設定、アイコン方式で表示されたデータファイルＤＦをデータファイル入力領域ＤＩＡに入力するのに使用する。
ネットワークＩ／Ｆ１４は、データファイル処理装置１と図示しないネットワークとを接続するためのものである。ネットワークＩ／Ｆ１４を介して、データファイル処理装置１はネットワークに接続されている図示しない端末からデータファイル処理を行うべきデータファイルを受信することができる。また、図示しないサーバより、データファイル処理装置１の機能を実現するプログラム１６１をダウンロードすることも可能である。
メディアドライブ１５は、メディアディスク１８に記録されているプログラム１６１を読み取るために使用する。メディアドライブ１５で読み取られたプログラム１６１により、データファイル処理装置１の機能が実現される。
記憶部１６は、メディアドライブ１５で読み取られたプログラム１６１を格納する。
【００２３】
メモリ１７は、記憶部１６によって記憶されたプログラム１６１をＣＰＵ１１が実行するためのワークエリアである。ＣＰＵ１１によってプログラム１６１が実行された結果、メモリ１７において、データファイル処理内容設定領域表示部１７１、データファイル入力領域作成部１７２、データファイル入力部１７３、データファイル処理実行部１７４の機能が実現する。
【００２４】
データファイル処理内容設定領域表示部１７１は、後述するデータファイル処理実行部１７４におけるデータファイルの処理内容の設定に対応したデータファイル処理内容設定領域ＤＥＡを表示部１２に表示する。データファイル処理内容設定領域ＤＥＡは、後述するデータファイル入力領域ＤＩＡを作成するための領域であり、データファイル処理実行部１７４におけるデータファイルの処理内容の設定に対応している。従って、このデータファイル処理内容設定領域ＤＥＡ内部に作成されたデータファイル入力領域ＤＩＡにデータファイルＤＦが入力されると、該データファイル処理内容設定領域ＤＥＡに対応する処理内容によって、データファイル処理実行部１７４がデータファイルＤＦの処理を実行することになる。
なお、データファイル処理内容設定領域ＤＥＡは、データファイル処理実行部１７４におけるデータファイルの処理内容の設定ごとに、表示部１２に複数表示することもできる。
【００２５】
データファイル入力領域作成部１７２は、前述のデータファイル処理内容設定領域ＤＥＡ内部に、データファイル入力領域ＤＩＡを作成する。このデータファイル入力領域ＤＩＡは、一般的に使用されているホットフォルダと同様の機能を有しているものである。後述するデータファイル入力部１７３によってデータファイルＤＦをこのデータファイル入力領域ＤＩＡに入力すると、該入力されたデータファイルＤＦに対して、データファイル処理実行部１７４がデータファイル処理内容設定領域ＤＥＡに対応する処理内容によって、データファイルＤＦの処理を実行する。
【００２６】
また、データファイル入力領域作成部１７２は、データファイル入力領域パラメータ設定部１７２１を備えている。データファイル入力領域パラメータ設定部１７２１は、後述するデータファイル処理実行部１７４によるデータファイルＤＦの処理に必要なパラメータを設定する。データファイル入力領域パラメータ設定部１７２１は、データファイル入力領域ＤＩＡごとに異なったパラメータを設定することができる。
従って、データファイル入力領域作成部１７２は、データファイル処理内容設定領域ＤＥＡ内部に、それぞれ異なったパラメータが設定された複数のデータファイル入力領域ＤＩＡを作成することができる。
【００２７】
データファイル入力部１７３は、オペレータによる入力部１３の入力を受けて、データファイルＤＦをデータ入力領域ＤＩＡに入力する。データファイル入力部１７３は、図示しないＯＳ(Operating System)の機能により、アイコン形式で表示部１２に表示されているデータファイルＤＦを、一般的に使用されているドラッグ&ドロップ方式などで、データファイル入力領域ＤＩＡへ入力する。
なお、データファイル入力部１７３は、図示しないＯＳの機能を利用してもよい。
【００２８】
データファイル処理実行部１７４は、データファイル処理内容設定領域ＤＥＡ内部に作成されたデータファイル入力領域ＤＩＡに入力されたデータファイルＤＦの処理を実行する。データファイル処理実行部１７４は、データファイルＤＦを処理するために、所定の処理内容が設定されている。データファイル処理実行部１７４は、データファイル入力領域ＤＩＡにデータファイルＤＦが入力されると、該データファイル入力領域ＤＩＡに設定されたパラメータを取得する。また、データファイル入力領域ＤＩＡが作成されたデータファイル処理内容設定領域ＤＥＡに対応する処理内容で、データファイル入力領域ＤＩＡから取得したパラメータを使用して、データファイルＤＦの処理を実行する。
【００２９】
また、データファイル処理実行部１７４は、データファイル処理進捗状況表示部１７４１を備えている。データファイル処理進捗状況表示部１７４１は、データファイル処理実行部１７４によりデータファイルＤＦの処理が実行されている際、その処理の進捗状況を表示部１２に表示する。また、データファイル処理装置１が、マルチタスク動作可能であれば、複数のデータファイルＤＦを同時に処理することもできるので、データファイル処理進捗状況表示部１７４１は、複数のデータファイルＤＦそれぞれの処理進捗状況を表示することができるようにしてもよい。
【００３０】
図２は、データファイル処理装置１の動作を説明するためのフローチャートである。
ステップＳ１において、データファイル処理内容設定領域表示部１７１が、データファイル処理実行部１７４の処理内容に対応して、データファイル処理内容設定領域ＤＥＡを表示部１２に表示する。データファイル処理内容設定領域表示部１７１は、データファイル処理実行部１７４の処理内容を取得することにより、該処理内容に対応したデータファイル処理内容設定領域ＤＥＡを表示する。データファイル処理実行部１７４の処理内容が複数存在する場合、データファイル処理内容設定領域表示部１７１は、該処理内容の数に対応して、複数のデータファイル処理内容設定領域ＤＥＡを表示する。
【００３１】
図３は、ステップＳ１を実行した場合に、表示部１２に表示されるデータファイル処理内容設定領域ＤＥＡを説明するための図である。図３に示されたデータファイル処理内容設定領域ＤＥＡは、複数のデータファイル処理内容設定領域ＤＥＡ１、ＤＥＡ２、ＤＥＡ３を備えている。ここで、データファイル処理実行部１７４によるデータファイルＤＦの処理内容は、「PostScript→ＰＤＦ」、「ＰＤＦ→PostScript」、「ＲＩＰ（Raster Image Processing）」という３つの処理内容が設定されているものとする。従って、データファイル処理内容設定領域ＤＥＡ１は「PostScript→ＰＤＦ」という処理内容に対応しており、データファイル処理内容設定領域ＤＥＡ２は「ＰＤＦ→PostScript」という処理内容に対応しており、データファイル処理内容設定領域ＤＥＡ３は「ＲＩＰ」という処理内容に対応している。
なお、PostScriptは、米Adobe Systems社の商標であり、ＰＤＦはPortable Document Formatの略称である。
【００３２】
図２に戻り、ステップＳ２では、データファイル入力領域作成部１７２が、入力部１３によるオペレータの入力に応じて、データファイル処理内容設定領域ＤＥＡの内部に、データファイル入力領域ＤＩＡを作成する。データファイル処理装置１のオペレータが、入力部１３を操作して、データファイル入力領域ＤＩＡの作成を所望するデータファイル処理内容設定領域ＤＥＡを指定し、該データファイル処理内容設定領域ＤＥＡ内部にデータ入力領域ＤＩＡの作成を指示すると、データファイル入力領域作成部１７２が、指定されたデータファイル処理内容設定領域ＤＥＡ内部に、データファイル入力領域ＤＩＡを作成する。作成されたデータファイル入力領域ＤＩＡは、一般的に利用されているホットフォルダと同様の動作を行うものである。
【００３３】
ステップＳ３において、データファイル入力領域パラメータ設定部１７２１が、データファイル入力領域ＤＩＡに、データファイルＤＦの処理に必要なパラメータを設定する。データファイル入力領域パラメータ設定部１７２１は、データファイル入力領域ＤＩＡが作成されたデータファイル処理内容設定領域ＤＥＡそれぞれに応じた処理に必要なパラメータの設定を行う。「PostScript→ＰＤＦ」の処理設定に対応したデータファイル処理内容設定領域ＤＥＡ１内部に作成されたデータファイル入力領域ＤＩＡにおいて、必要なパラメータは、例えば、
１）ＰＤＦファイルの開き方の設定
２）使用するフォント
３）トラッピングの有無
４）埋め込みデータオブジェクト
５）文書メタデータ
である。データファイル入力領域パラメータ設定部１７２１は、データファイル処理内容設定領域ＤＥＡ１内部に作成されたデータファイル入力領域ＤＩＡに対して、このようなパラメータの設定を行う。
なお、パラメータの設定は、後述する処理を行った後、再度設定し直すこともできる。
【００３４】
ステップＳ４では、ステップＳ２におけるデータファイル入力領域ＤＩＡの作成、およびステップＳ３におけるデータファイル入力領域ＤＩＡに対するパラメータ設定が終了したか否かを、オペレータが決定する。オペレータが、複数のデータファイル入力領域ＤＩＡの作成、および該データファイル入力領域ＤＩＡに対するパラメータ設定を行う場合、ステップＳ２に戻って、ステップＳ２、Ｓ３の処理を繰り返し行う。
必要なデータファイル入力領域ＤＩＡの作成、およびパラメータの設定が終わったとオペレータが判断したならば、ステップＳ５へ移行する。
【００３５】
図４は、ステップＳ２、およびステップＳ３の処理を実行した結果、データファイル処理内容設定領域ＤＥＡ内部それぞれに、複数のデータファイル入力領域ＤＩＡが作成された状態を説明するための図である。
図４（ａ）において、データファイル処理内容設定領域ＤＥＡ１内部に、データファイル入力領域ＤＩＡ１、ＤＩＡ２、データファイル処理内容設定領域ＤＥＡ２内部に、データファイル入力領域ＤＩＡ３、ＤＩＡ４、データファイル処理内容設定領域ＤＥＡ３内部に、データファイル入力領域ＤＩＡ５、ＤＩＡ６が作成されている。データファイル処理内容設定領域ＤＥＡそれぞれの内部に作成されたデータファイル入力領域ＤＩＡそれぞれは、データファイル入力領域パラメータ設定部１７２１により、それぞれ異なったパラメータが設定されている。例えば、データファイル入力領域ＤＩＡ１とＤＩＡ２では、パラメータの一つである「トラッピングの有無」について、データファイル入力領域ＤＩＡ１では「トラッピング有り」と設定されているが、データファイル入力領域ＤＩＡ２ではトラッピングの設定が行なわれていない。このように、データファイル入力領域作成部１７２は、作成されたデータファイル入力領域ＤＩＡに設定されたパラメータに応じて、オペレータに分かりやすい名称を付すのが望ましい。
【００３６】
図４（ｂ）は、データファイル入力領域パラメータ設定部１７２１によって、データファイル入力領域ＤＩＡに設定されたパラメータを説明するための図である。図４（ｂ）は、データファイル処理内容設定領域ＤＥＡ３内部に作成されたデータファイル入力領域ＤＩＡ６に設定されたパラメータを説明するためのものである。ここでは、データファイルＤＦのラスタライズ処理に際してのパラメータが設定されている。図示しているように、データファイル入力領域ＤＩＡ６に設定されたパラメータは、ＲＩＰ時の解像度について「２４００ｄｐｉ」で処理を行い、作成する色版の数が「Ｙ、Ｍ、Ｃ、Ｋ」の４色となる処理を行うような設定が行なわれている。
なお、ここまでの説明では、データファイル処理内容設定領域ＤＥＡの数が３であり、データファイル入力領域ＤＩＡの数が６であるよう説明を行ってきたが、データファイル処理内容設定領域ＤＥＡの数は３に限定されることはなく、データファイル入力領域ＤＩＡの数が６に限定されることはない。また、データファイル入力領域ＤＩＡに設定するパラメータの数についても、ここまでの説明で行なわれた個数に限定されることはない。
【００３７】
再び図２に戻り、ステップＳ５において、オペレータによる入力部１３の操作により、データファイル入力部１７３がデータファイルＤＦをデータファイル入力領域ＤＩＡに入力する。オペレータは、入力部１３を操作して、表示部１２にアイコン形式で表示された図示しないデータファイルＤＦを指定する。指定されたデータファイルＤＦは、オペレータによるさらなる入力部１３の操作に応じて、表示部１２に表示された画面上を移動して、オペレータが処理を所望するデータファイル入力領域ＤＩＡ上に配置される。データファイル入力部１７３は、このような操作を受けて、指定されたデータファイルＤＦがデータファイル入力領域ＤＩＡに入力されたものとして、ステップＳ６の処理へ移行する。
【００３８】
ステップＳ６では、ステップＳ５によって、データファイル入力領域ＤＩＡに入力されたデータファイルＤＦについて、データファイル処理実行部１７４がデータファイル入力領域ＤＩＡに設定されたパラメータを取得し、該パラメータを使用して、データファイル処理内容設定領域ＤＥＡに対応する処理内容で、処理を行う。データファイル処理実行部１７４は、ステップＳ５の処理によって、データファイルＤＦがデータファイル入力領域ＤＩＡに入力されると、該データファイル入力領域ＤＩＡに対して、データファイル入力領域パラメータ設定部１７２１が設定したパラメータを取得する。そして、データファイル処理実行部１７４は、データファイルＤＦが入力されたデータファイル入力領域ＤＩＡが作成されたデータファイル処理内容設定領域ＤＥＡを確認し、該データファイル処理内容設定領域ＤＥＡに対応する処理内容で、取得したパラメータを使用して、データファイルＤＦの処理を実行する。
【００３９】
図５は、ステップＳ６の動作を説明するための図である。図５（ａ）において、表示部１２には、オペレータの入力によって動作するポインタＰＯ、アイコン形式で表示されたデータファイルＤＦ、複数の領域を有するデータファイル処理内容設定領域ＤＥＡが表示されており、さらにデータファイル処理内容設定領域ＤＥＡ３には、データファイル入力領域ＤＩＡ６が表示されている。オペレータが入力部１３を操作すると、入力部１３により操作されるポインタＰＯが移動し、データファイルＤＦが指定される。指定されたデータファイルＤＦは、指定されていることを示すため、反転表示やハイライト表示などが行なわれた状態となる。図５（ａ）では、オペレータによって指定されたことを示すため、ハッチング表示を行っている。
【００４０】
図５（ｂ）では、オペレータによる入力部１３のさらなる操作により、指定されたデータファイルＤＦが、データファイル処理内容設定領域ＤＥＡ３内部に作成されたデータファイル入力領域ＤＩＡ６上に移動したことが示されている。オペレータは、入力部１３を操作して、ポインタＰＯによってデータファイルＤＦを指定したまま、表示部１２に表示された画面上で移動させる。これを"ドラッグ操作"と呼ぶ。オペレータによって指定されたデータファイルＤＦが、データファイル入力領域ＤＩＡ６上へ位置すると、データファイル入力領域ＤＩＡ６もまたオペレータによって指定されたものとして、反転表示やハイライト表示などが行なわれた状態となる。図５（ｂ）では、オペレータによって指定されたことを示すため、データファイルＤＦ同様ハッチング表示を行っている。
【００４１】
図５（ｃ）では、オペレータによる入力部１３の操作により、指定されたデータファイルＤＦがデータファイル入力領域ＤＩＡ６に入力された状態を示している。図５（ｂ）の状態で、オペレータが入力部１３を操作して、データファイルＤＦの指定を解除すると、データファイル入力部１７３が、データファイルＤＦの位置していたデータファイル入力領域ＤＩＡ６に該データファイルＤＦが入力されたものとして（これを"ドロップ操作"と呼ぶ）、データファイル処理実行部１７４がデータファイルＤＦの処理を開始する。
【００４２】
データファイル処理実行部１７４は、データファイルＤＦが入力されたデータファイル入力領域ＤＩＡ６に設定されたパラメータを取得する。ここでは、図４（ｂ）で設定されたパラメータ、すなわち「解像度：２４００ｄｐｉ」、「色版数：Ｙ、Ｍ、Ｃ、Ｋ」を、データファイル処理実行部１７４が取得するものとする。
【００４３】
続いて、データファイル処理実行部１７４は、データファイルＤＦが入力されたデータファイル入力領域ＤＩＡ６がどのデータファイル処理内容設定領域ＤＥＡに作成されているかを確認する。ここでは、データファイル入力領域ＤＩＡ６が、データファイル処理内容設定領域ＤＥＡ３、すなわち「ＲＩＰ」処理を行う処理内容が設定された領域にある、とデータファイル処理実行部１７４が判断する。
【００４４】
そして、データファイル処理実行部１７４は、データファイルＤＦに対して、データファイル入力領域ＤＩＡ６から取得したパラメータを使用して、データファイル処理内容設定領域ＤＥＡ３に対応する処理内容であるＲＩＰ処理を行う。このとき、データファイル処理実行部１７４は、データファイル処理進捗状況表示部１７４１を起動する。データファイル処理進捗状況表示部１７４１は、データファイル処理実行部１７４におけるデータファイルＤＦの処理内容、および処理の進捗状況に基づいて、データファイル処理内容設定領域ＤＥＡ３の内部に、データファイル処理進捗状況表示領域ＤＳＡを表示する。
【００４５】
図５（ｃ）は、図５（ｂ）の動作を経て、データファイル処理実行部１７４が、データファイルＤＦに対して、データファイル入力領域ＤＩＡ６に設定されたパラメータを使用して、データファイル処理内容設定領域ＤＥＡ３に対応するＲＩＰ処理を行っている状態を示している。図示しているように、データファイル処理内容設定領域ＤＥＡ３の内部に、データファイル処理進捗状況表示領域ＤＳＡが表示されており、その内部に、データファイルＤＦの処理進捗状況が表示されている。ここでは、データファイルＤＦがデータファイル入力領域ＤＩＡ６に入力された直後なので、データファイル処理実行部１７４によるデータファイルＤＦの処理進捗状況は、「ＲＩＰ：０％execute」と表示されている。時間が経過し、データファイル処理実行部１７４の処理が進捗するにつれ、このデータファイル処理進捗状況表示領域ＤＳＡによるデータファイルＤＦの処理進捗状況に関わる表示は、変更が行なわれる。
【００４６】
なお、ここまでの説明では、一つのデータファイル処理内容設定領域ＤＥＡに作成された一つのデータファイル入力領域ＤＩＡにデータファイルＤＦが入力された処理について説明を行ってきたが、複数のデータファイル処理内容設定領域ＤＥＡ内部に作成された複数のデータファイル入力領域ＤＩＡに一つあるいは複数のデータファイルＤＦが入力されたとしても、ステップＳ１〜Ｓ６の処理により、データファイル処理装置１は、データファイルＤＦの処理を実行することができる。
【００４７】
このように、図１に示したデータファイル処理装置１が、図２に示したフローチャートのように動作することにより、データファイル処理内容設定領域内部に該処理内容に基づいたホットフォルダが作成されるので、ホットフォルダの作成を容易に行うことができる。また、データファイル処理内容設定領域の内部に該データファイルを処理するためのホットフォルダが作成されるので、データファイルの投入ミスを防ぐことができる。
【実施例２】
【００４８】
また、データファイル処理装置１は、図６のような構成を取ることもできる。図６に示したデータファイル処理装置２は、データファイル処理内容設定部２７１を備えている。データファイル処理内容設定部２７１は、データファイル処理実行部２７４におけるデータファイルＤＦの処理内容を設定することができるので、データファイル処理装置２のオペレータが所望する処理内容でデータファイル処理内容設定領域ＤＥＡを表示することができ、オペレータの所望するホットフォルダの作成を容易に行うことができる。
【実施例３】
【００４９】
さらに、データファイル処理装置１は、図７のような構成を取ることもできる。図７に示したデータファイル処理装置３は、データファイル属性識別部３７５１を備えている。データファイル属性識別部３７５１は、データファイル入力部３７４により、データファイル入力領域ＤＩＡに入力されたデータファイルＤＦの属性を識別し、該データファイル入力領域ＤＩＡを包含するデータファイル処理内容設定領域ＤＥＡに設定された処理内容によって該データファイルＤＦの処理が可能か否かを判断する。データファイル属性識別部３７５１は、データファイルＤＦに付与された拡張子を参照して、データファイルＤＦの属性識別を行う。また、データファイル属性識別部３７５１は、データファイルＤＦの内部情報を参照してデータファイルＤＦの属性を識別するようにしてもよい。
【００５０】
データファイル入力部３７４によりデータファイルＤＦが操作され、データファイル入力領域ＤＩＡに入力されると、データファイル属性識別部３７５１が該データファイルＤＦの属性を識別する。データファイルＤＦの属性識別の結果、データファイル属性識別部３７５１がデータファイル処理内容設定領域ＤＥＡに設定された処理内容によって該データファイルＤＦを処理できると判断した場合、データファイル属性識別部３７５１はデータファイルＤＦについてデータファイル入力領域ＤＩＡへの入力を許可する。その後、データファイル処理実行部３７５は、データファイルＤＦが投入されたデータファイル入力領域ＤＩＡに設定されたパラメータを利用してデータファイル処理内容設定領域ＤＥＡに設定された処理内容に基づいて、該データファイルＤＦに対する処理を実行する。
一方、データファイル属性識別部３７５１がデータファイルＤＦの属性識別を行い、データファイル処理内容設定領域ＤＥＡに設定された処理内容によって該データファイルＤＦの処理ができないと判断した場合、データファイル属性識別部３７５１はデータファイルＤＦについてデータファイル入力領域ＤＩＡへの入力を禁止する。その後、データファイル属性識別部３７５１は、データファイルＤＦを投入しようとしたデータファイル入力領域ＤＩＡにおいて該データファイルＤＦの処理が不可能であることを、表示部３２に表示する。
【００５１】
図８は、データファイル処理装置３におけるデータファイル属性識別部３７５１の動作を説明するための図である。図８では図３同様、データファイル処理内容設定領域ＤＥＡ１においてPostScriptをＰＤＦに変換する処理が設定されており、ＤＥＡ２ではＰＤＦをPostScriptに変換する処理が設定されている。
【００５２】
図８（ａ）は、データファイルＤＦとして、PostScriptファイルがデータファイル入力領域ＤＩＡ１に入力された状態を示している。データファイル入力部３７４により、データファイルＤＦが、データファイル内容設定領域ＤＥＡ１に包含されるデータファイル入力領域ＤＩＡ１へ入力するために操作されると、データファイル属性識別部３７５１がデータファイルＤＦの属性を識別する。ここでは、データファイルＤＦがPostScriptファイルであり、データファイル内容設定領域ＤＥＡ１に設定された処理内容が「ＰＳ→ＰＤＦ」なので、データファイル属性識別部３７５１は、データファイル内容設定領域ＤＥＡ１に設定された処理内容で該データファイルＤＦの処理が可能であると判断する。そして、データファイル属性識別部３７５１は、データファイルＤＦについて、データファイル入力領域ＤＩＡ１への入力を許可する。データファイル処理実行部３７５が、データファイル入力領域ＤＩＡ１に入力されたデータファイルＤＦについて、該データファイル入力領域ＤＩＡ１に設定されたパラメータを利用して、PostScriptからＰＤＦへの変換を行う。
【００５３】
一方、図８（ｂ）は、PostScriptファイルであるデータファイルＤＦが、データファイル処理入力領域ＤＩＡ２に入力された状態を示している。図８（ａ）同様に、データファイル入力領域ＤＩＡ２に入力されたデータファイルＤＦについて、データファイル属性識別部３７５１がデータファイルＤＦの属性を識別する。ここで、データファイルＤＦがPostScriptファイルであり、データファイル処理内容設定領域ＤＥＡ２に設定された処理内容が「ＰＤＦ→ＰＳ」なので、データファイル属性識別部３７５１は、該入力されたデータファイルＤＦについて、データファイル処理内容設定領域ＤＥＡ２に設定された処理内容では処理することができない属性を有しているものと判断する。データファイル属性識別部３７５１は、データファイルＤＦについて、データファイル入力領域ＤＩＡ２への入力を拒絶し、該データファイルＤＦについてデータファイル処理内容設定領域ＤＥＡ２における処理が不可能であることを表示部３２に表示する。
【００５４】
なお、データファイル属性識別部３７５１は、データファイル入力部３７４によりデータファイルＤＦがデータファイル処理内容設定領域ＤＥＡ上に移動させられたその時点で、該データファイルＤＦの属性を識別するようにしてもよい。この場合においても、データファイル属性識別部３７５１は、上記同様、データファイル処理内容設定領域ＤＥＡに設定された処理内容と、データファイルＤＦの属性とを比較して、該データファイルＤＦが該データファイル処理内容設定領域ＤＥＡに設定された処理内容で処理が可能か否かを判断することができる。
【００５５】
このように、図７に示したデータファイル処理装置３が、図８に示すような動作を実行することにより、データファイルＤＦの投入ミスをより一層防ぐことができる。
「変形例」
ここまでの説明では、データファイル入力領域ＤＩＡにデータファイルＤＦが入力された、というイヴェントドリヴンでの説明を行ってきたが、ポーリング処理により、データファイル入力領域ＤＩＡにデータファイルＤＦが入力されたことをデータファイル入力部１７３、２７４、３７４が認識するようにしてもよい。
【００５６】
また、データファイルＤＦの入力について、ドラッグ&ドロップ方式による入力を行なうものとして説明を行ってきたが、コピー&ペースト方式などの手法により、データファイルＤＦをデータファイル入力領域ＤＩＡへ入力するようにしてもよい。
【００５７】
さらに、データファイル処理実行部１７４、２７５、３７５によるデータファイルＤＦの処理内容は、ここまでの説明に限定されることはない。すなわち、一般的にコンピュータで実行されるデータファイル処理について、データファイル処理装置１、２、３は実行することができる。
【００５８】
加えて、データファイル処理進捗状況表示領域ＤＳＡは、データファイル処理実行部１７４、２７５、３７５の動作に合わせて表示されるよう説明を行ってきたが、当初からデータファイル処理内容設定領域ＤＥＡ内部に表示されていてもよい。
あるいは、データファイル処理進捗状況表示領域ＤＳＡは、データファイル処理内容設定領域ＤＥＡとは独立した状態で、表示部１２、２２、３２に表示されるようにしてもよい。
【図面の簡単な説明】
【００５９】
【図１】データファイル処理装置１の構成を説明するための図である。
【図２】データファイル処理装置１の動作を説明するためのフローチャートである。
【図３】データファイル処理内容設定領域ＤＥＡを説明するための図である。
【図４】データファイル処理内容設定領域ＤＥＡ内部に作成されたデータファイル入力領域ＤＩＡを説明するための図である。
【図５】データファイルＤＦをデータファイル入力領域ＤＩＡに入力した際の処理を説明するための図である。
【図６】データファイル処理装置２の構成を説明するための図である。
【図７】データファイル処理装置３の構成を説明するための図である。
【図８】データファイル処理装置３の動作を説明するための図である。
【符号の説明】
【００６０】
１、２、３  データファイル処理装置
１１、２１、３１  ＣＰＵ
１２、２２、３２  表示部
１３、２３、３３  入力部
１４、２４、３４  ネットワークＩ／Ｆ
１５、２５、３５  メディアドライブ
１６、２６、３６  記憶部
１７、２７、３７  メモリ
１６１、２６１、３６１  プログラム
１７１、２７２、３７２  データファイル処理内容領域表示部
１７２、２７３、３７３  データファイル入力領域作成部
１７３、２７４、３７４  データファイル入力部
１７４、２７５、３７５  データファイル処理実行部
１７２１、２７３１、３７３１  データファイル入力領域パラメータ設定部
１７４１、２７５１  データファイル処理進捗状況表示部
２７１、３７１  データファイル処理内容設定部
３７５１  データファイル属性識別部
ＤＥＡ、ＤＥＡ１〜３  データファイル処理内容表示領域
ＤＦ  データファイル
ＤＩＡ、ＤＩＡ１〜６  データファイル入力領域
ＤＳＡ  データファイル処理進捗状況表示領域
【図１】
2005166008.tif 000003
【図２】
2005166008.tif 000004
【図３】
2005166008.tif 000005
【図４】
2005166008.tif 000006
【図５】
2005166008.tif 000007
【図６】
2005166008.tif 000008
【図７】
2005166008.tif 000009
【図８】
2005166008.tif 000010